【手続補正書】
【提出日】平成28年5月23日(2016.5.23)
【手続補正１】
【補正対象書類名】特許請求の範囲
【補正対象項目名】全文
【補正方法】変更
【補正の内容】
【特許請求の範囲】
【請求項１】
下記の演算処理を行うコンピュータを有する演算処理部を有し、
当該演算処理部は、
数値標高データに基づいて３次元地形モデルを作成し、
前記３次元地形モデルにおいて、標高が２５０〜５００ｍの地形のうち、周囲の地形の標高よりも標高が最も低い窪地と、前記窪地に隣接し、かつ周囲の地形より標高が高い丘陵地と、を抽出し、
前記窪地の上空から前記丘陵地の上空へと、気象情報から推測される積乱雲が移動すると仮定したとき、当該積乱雲の移動方向における前記窪地上端の水平距離ｌと、前記窪地の最下端から上端までの距離である窪地の深さｄを前記３次元地形モデルから取得し、    前記窪地上端の水平距離ｌと、前記窪地の深さｄに基づいて、下記数式１により前記窪地の曲率半径Ｒを算出し、
前記算出した曲率半径Ｒが１５〜２５Ｋｍの範囲内にある場合に、前記窪地付近に大きな被害をもたらす竜巻が発生する可能性があると判断する
竜巻発生地域予測装置。
【請求項２】
前記演算処理部は、前記３次元地形モデルを基に、前記大きな被害をもたらす竜巻が生じる可能性があると判断した窪地を強調して示した２次元地図データを作成する
請求項１に記載の竜巻発生予測装置。
【請求項３】
気象情報を入手するデータ入手手段と、
下記の演算処理を行うコンピュータを有する演算処理部と、
を有し、
前記演算処理部は、
数値標高データに基づいて、３次元地形モデルを作成し、
前記３次元地形モデルにおいて、標高が２５０〜５００ｍの地形のうち、周囲の地形の標高よりも標高が最も低い窪地と、前記窪地に隣接し、かつ周囲の地形より標高が高い丘陵地と、を抽出し、
前記データ入手手段により入手した、積乱雲の存在を確認可能な気象情報に基づいて積乱雲の位置と進行方向とを観測し、
前記３次元地形モデルを基に、当該観測した積乱雲の進行方向に対して、窪地、丘陵地の順で並んでいる地形を抽出し、当該地形付近の地域に竜巻が発生する可能性があると予測し、
前記観測した積乱雲の移動方向において、前記抽出した窪地上端の水平距離ｌと、前記窪地の最下端から上端までの距離である窪地の深さｄを前記３次元地形モデルから取得し、
前記窪地上端の水平距離ｌと、前記窪地の深さｄに基づいて、下記数式２により前記窪
地の曲率半径Ｒを算出し、
前記算出した曲率半径Ｒが１５〜２５Ｋｍの範囲内にある場合に、前記窪地付近に大きな被害をもたらす竜巻が発生する可能性があると判断する
竜巻発生予測装置。
【請求項４】
気象情報を入手するデータ入手手段と、コンピュータを有し演算処理を行う演算処理部と、を有する竜巻発生予測装置の竜巻発生予測方法であって、
前記演算処理部が、数値標高データに基づいて、３次元地形モデルを作成するステップと、
前記演算処理部が、前記前記３次元地形モデルにおいて、標高が２５０〜５００ｍの地形のうち、周囲の地形の標高よりも標高が最も低い窪地と、前記窪地に隣接し、かつ周囲の地形より標高が高い丘陵地と、を抽出しするステップと、
前記データ入手手段が、積乱雲の存在を確認可能な気象情報を入手するステップと、
前記演算処理部が、前記データ入手手段が入手した気象情報に基づいて積乱雲の位置と進行方向とを観測するステップと、
前記演算処理部が、前記３次元地形モデルを基に、当該観測した積乱雲の進行方向に対して、窪地、丘陵地の順で並んでいる地形を抽出し、当該地形付近の地域に竜巻が発生する可能性があると予測するステップと、
前記演算処理部が、前記観測した積乱雲の移動方向において、前記抽出した窪地上端の水平距離ｌと、前記窪地の最下端から上端までの距離である窪地の深さｄを前記３次元地形モデルから取得するステップと、
前記演算処理部が、前記窪地上端の水平距離ｌと、前記窪地の深さｄに基づいて、下記数式３により前記窪地の曲率半径Ｒを算出するステップと、
前記演算処理部が、前記算出した曲率半径Ｒが１５〜２５Ｋｍの範囲内にある場合に、前記窪地付近に大きな被害をもたらす竜巻が発生する可能性があると判断するステップと、
を有する竜巻発生予測方法。
【請求項５】
竜巻発生予測装置が有するコンピュータの実行する竜巻発生予測プログラムであって、  数値標高データに基づいて、３次元地形モデルを作成する手順と、
前記前記３次元地形モデルにおいて、標高が２５０〜５００ｍの地形のうち、周囲の地形の標高よりも標高が最も低い窪地と、前記窪地に隣接し、かつ周囲の地形より標高が高い丘陵地と、を抽出する手順と、
積乱雲の存在を確認可能な気象情報を入手する手順と、
前記入手した気象情報に基づいて積乱雲の位置と進行方向とを観測する手順と、
前記３次元地形モデルを基に、当該観測した積乱雲の進行方向に対して、窪地、丘陵地の順で並んでいる地形を抽出し、当該地形付近の地域に竜巻が発生する可能性があると予測する手順と、
前記観測した積乱雲の移動方向において、前記抽出した窪地上端の水平距離ｌと、前記窪地の最下端から上端までの距離である窪地の深さｄを前記３次元地形モデルから取得する手順と、
前記窪地上端の水平距離ｌと、前記窪地の深さｄに基づいて、下記数式４により前記窪地の曲率半径Ｒを算出する手順と、
前記演算処理部が、前記算出した曲率半径Ｒが１５〜２５Ｋｍの範囲内にある場合に、前記窪地付近に大きな被害をもたらす竜巻が発生する可能性があると判断する手順と、
を有する、竜巻発生予測プログラム。
【手続補正２】
【補正対象書類名】明細書
【補正対象項目名】００４３
【補正方法】変更
【補正の内容】
【００４３】
本発明によれば、下記の演算処理を行うコンピュータを有する演算処理部を有し、
当該演算処理部は、
数値標高データに基づいて３次元地形モデルを作成し、
前記３次元地形モデルにおいて、標高が２５０〜５００ｍの地形のうち、周囲の地形の標高よりも標高が最も低い窪地と、前記窪地に隣接し、かつ周囲の地形より標高が高い丘陵地と、を抽出し、
前記窪地の上空から前記丘陵地の上空へと、気象情報から推測される積乱雲が移動すると仮定したとき、当該積乱雲の移動方向における前記窪地上端の水平距離ｌと、前記窪地の最下端から上端までの距離である窪地の深さｄを前記３次元地形モデルから取得し、    前記窪地上端の水平距離ｌと、前記窪地の深さｄに基づいて、下記数式１により前記窪地の曲率半径Ｒを算出し、
前記算出した曲率半径Ｒが１５〜２５Ｋｍの範囲内にある場合に、前記窪地付近に大きな被害をもたらす竜巻が発生する可能性があると判断する
竜巻発生地域予測装置が提供される。
【手続補正３】
【補正対象書類名】明細書
【補正対象項目名】００４５
【補正方法】変更
【補正の内容】
【００４５】
また本発明によれば、気象情報を入手するデータ入手手段と、下記の演算処理を行うコンピュータを有する演算処理部と、を有し、
前記演算処理部は、
数値標高データに基づいて、３次元地形モデルを作成し、
前記３次元地形モデルにおいて、標高が２５０〜５００ｍの地形のうち、周囲の地形の標高よりも標高が最も低い窪地と、前記窪地に隣接し、かつ周囲の地形より標高が高い丘陵地と、を抽出し、
前記データ入手手段により入手した、積乱雲の存在を確認可能な気象情報に基づいて積乱雲の位置と進行方向とを観測し、
前記３次元地形モデルを基に、当該観測した積乱雲の進行方向に対して、窪地、丘陵地の順で並んでいる地形を抽出し、当該地形付近の地域に竜巻が発生する可能性があると予測し、
前記観測した積乱雲の移動方向において、前記抽出した窪地上端の水平距離ｌと、前記窪地の最下端から上端までの距離である窪地の深さｄを前記３次元地形モデルから取得し、
前記窪地上端の水平距離ｌと、前記窪地の深さｄに基づいて、下記数式２により前記窪
地の曲率半径Ｒを算出し、
前記算出した曲率半径Ｒが１５〜２５Ｋｍの範囲内にある場合に、前記窪地付近に大きな被害をもたらす竜巻が発生する可能性があると判断する
竜巻発生予測装置が提供される。
【手続補正４】
【補正対象書類名】明細書
【補正対象項目名】００４７
【補正方法】変更
【補正の内容】
【００４７】
また本発明によれば、
気象情報を入手するデータ入手手段と、コンピュータを有し演算処理を行う演算処理部と、を有する竜巻発生予測装置の竜巻発生予測方法であって、
前記演算処理部が、数値標高データに基づいて、３次元地形モデルを作成するステップと、
前記演算処理部が、前記前記３次元地形モデルにおいて、標高が２５０〜５００ｍの地形のうち、周囲の地形の標高よりも標高が最も低い窪地と、前記窪地に隣接し、かつ周囲の地形より標高が高い丘陵地と、を抽出しするステップと、
前記データ入手手段が、積乱雲の存在を確認可能な気象情報を入手するステップと、
前記演算処理部が、前記データ入手手段が入手した気象情報に基づいて積乱雲の位置と進行方向とを観測するステップと、
前記演算処理部が、前記３次元地形モデルを基に、当該観測した積乱雲の進行方向に対して、窪地、丘陵地の順で並んでいる地形を抽出し、当該地形付近の地域に竜巻が発生する可能性があると予測するステップと、
前記演算処理部が、前記観測した積乱雲の移動方向において、前記抽出した窪地上端の水平距離ｌと、前記窪地の最下端から上端までの距離である窪地の深さｄを前記３次元地形モデルから取得するステップと、
前記演算処理部が、前記窪地上端の水平距離ｌと、前記窪地の深さｄに基づいて、下記数式３により前記窪地の曲率半径Ｒを算出するステップと、
前記演算処理部が、前記算出した曲率半径Ｒが１５〜２５Ｋｍの範囲内にある場合に、前記窪地付近に大きな被害をもたらす竜巻が発生する可能性があると判断するステップと、
を有する竜巻発生予測方法が提供される。
【手続補正５】
【補正対象書類名】明細書
【補正対象項目名】００４９
【補正方法】変更
【補正の内容】
【００４９】
本発明によれば、竜巻発生予測装置が有するコンピュータの実行する竜巻発生予測プログラムであって、  数値標高データに基づいて、３次元地形モデルを作成する手順と、
前記前記３次元地形モデルにおいて、標高が２５０〜５００ｍの地形のうち、周囲の地形の標高よりも標高が最も低い窪地と、前記窪地に隣接し、かつ周囲の地形より標高が高い丘陵地と、を抽出する手順と、
積乱雲の存在を確認可能な気象情報を入手する手順と、
前記入手した気象情報に基づいて積乱雲の位置と進行方向とを観測する手順と、
前記３次元地形モデルを基に、当該観測した積乱雲の進行方向に対して、窪地、丘陵地の順で並んでいる地形を抽出し、当該地形付近の地域に竜巻が発生する可能性があると予測する手順と、
前記観測した積乱雲の移動方向において、前記抽出した窪地上端の水平距離ｌと、前記窪地の最下端から上端までの距離である窪地の深さｄを前記３次元地形モデルから取得する手順と、
前記窪地上端の水平距離ｌと、前記窪地の深さｄに基づいて、下記数式４により前記窪地の曲率半径Ｒを算出する手順と、
前記演算処理部が、前記算出した曲率半径Ｒが１５〜２５Ｋｍの範囲内にある場合に、前記窪地付近に大きな被害をもたらす竜巻が発生する可能性があると判断する手順と、
を有する、竜巻発生予測プログラムが提供される。